(57)【要約】【課題】移動局ＵＥがページングを受信後にパケット交換機ＳＧＳＮ宛ての発信を行うことによってパケット通信を開始するように構成されているパケット通信システムにおいて、着信が許容しつつ発信が規制している規制情報を受信した場合であっても、移動局ＵＥ宛ての着信に応じてパケット通信を開始する。【解決手段】パケット通信方法は、移動局ＵＥが、着信を許容しつつ発信を規制する規制情報を受信し、移動局ＵＥに対するページングの着信に応じてパケット交換機ＳＧＳＮとの間で制御用パスを確立する工程と、パケット交換機ＳＧＳＮが、制御用パスを介してデータ用パスを確立するように指示するメッセージを送信する工程と、移動局ＵＥが規制情報を受信している場合であっても、メッセージが移動局ＵＥに着信された場合には、移動局ＵＥが、パケット交換機ＳＧＳＮ宛てに発信することによってデータ用パスを確立する工程とを有する。【選択図】  図３
2008098951.tif 000002
【特許請求の範囲】
【請求項１】
移動局とパケット交換機との間で確立されたデータ用パスを介してパケット通信を行うパケット通信方法であって、
前記移動局が、着信を許容しつつ発信を規制する規制情報を受信する工程と、
前記移動局宛てのページングの着信に応じて、該移動局が、該パケット交換機との間で制御用パスを確立する工程と、
前記パケット交換機が、前記制御用パスを介して、前記移動局に対して該パケット交換機との間で前記データ用パスを確立するように指示するメッセージを送信する工程と、
前記移動局が前記規制情報を受信している場合であっても、前記メッセージが該移動局に着信された場合には、該移動局が、前記パケット交換機宛てに発信することによって、該パケット交換機との間で前記データ用パスを確立する工程とを有することを特徴とするパケット通信方法。
【請求項２】
パケット交換機との間で確立されたデータ用パスを介してパケット通信を行うように構成されている移動局であって、
着信を許容しつつ発信を規制する規制情報を受信するように構成されている規制情報受信部と、
前記移動局宛てのページングの着信に応じて、前記パケット交換機との間で制御用パスを確立するように構成されている制御用パス確立部と、
前記パケット交換機宛てに発信することによって、該パケット交換機との間で前記データ用パスを確立するように構成されているデータ用パス確立部とを具備しており、
前記規制情報受信部が前記規制情報を受信した場合であっても、前記移動局に対して前記パケット交換機との間で前記データ用パスを確立するように指示するメッセージが着信された場合には、前記データ用パス確立部は、該パケット交換機宛てに発信することによって、該パケット交換機との間で前記データ用パスを確立するように構成されていることを特徴とする移動局。
【請求項３】
前記規制情報は、前記パケット交換機に対する発信を規制すべき移動局の種類を示すアクセスクラスを含み、
前記規制情報受信部が前記移動局が属するアクセスクラスを含む規制情報を受信した場合に、前記データ用パス確立部は、前記パケット交換機宛てに発信することによって、該パケット交換機との間で前記データ用パスコネクションを確立することが規制されるように構成されていることを特徴とする請求項２に記載の移動局。
【発明の詳細な説明】
【技術分野】
【０００１】
本発明は、移動局とパケット交換機との間で確立されたデータ用パスを介してパケット通信を行うパケット通信方法、及び、かかるパケット通信方法で用いられる移動局に関する。
【背景技術】
【０００２】
図６を参照して、従来のパケット通信システムにおいて、移動局ＵＥが当該移動局ＵＥ宛ての着信に応じてパケット通信を開始する動作について説明する。
【０００３】
ステップＳ２００１において、パケット交換機ＳＧＳＮが、移動局ＵＥ宛ての着信の存在を通知するためのページング（Ｐａｇｉｎｇ：一斉呼び出し）を通知する。
【０００４】
移動局ＵＥのＡＳ（Ａｃｃｅｓｓ  Ｓｔｒａｔｕｍ）機能が、ステップＳ２００２において、当該移動局ＵＥ宛てのページングがパケット交換機ＳＧＳＮから通知されたことを認識した場合、ステップＳ２００３において、無線回線制御局ＲＮＣとの間で、ＲＲＣ（Ｒａｄｉｏ  Ｒｅｓｏｕｒｃｅ  Ｃｏｎｔｒｏｌ）コネクションを確立する。
【０００５】
ステップＳ２００４において、移動局ＵＥのＮＡＳ（Ｎｏｎ  Ａｃｃｅｓｓ  Ｓｔｒａｔｕｍ）機能が、パケット交換機ＳＧＳＮとの間で、シグナリングコネクション（Ｃ-ｐｌａｎｅパス：制御用パス）を確立する。
【０００６】
ステップＳ２００５において、パケット交換機ＳＧＳＮが、Ｃ-ｐｌａｎｅパスを介して、移動局ＵＥに対してパケット交換機ＳＧＳＮとの間でＵ-ｐｌａｎｅパスを確立するように指示するメッセージである「ＳＭＳ（Ｓｈｏｒｔ  Ｍｅｓｓａｇｅ  Ｓｅｒｖｉｃｅ）  Ｐｕｓｈ」を送信する。
【０００７】
ステップＳ２００６において、移動局ＵＥのＡＰＬ（Ａｐｐｌｉｃａｔｉｏｎ  Ｓｔｒａｔｕｍ）機能が、パケット交換機ＳＧＳＮから送信された「ＳＭＳ  Ｐｕｓｈ」の着信に応じて、パケット交換機ＳＧＳＮとの間でＵ-ｐｌａｎｅパスを確立するように指示する「起動指示」を、移動局ＵＥのＮＡＳ機能に送信し、ステップＳ２００７において、移動局ＵＥのＮＡＳ機能が、当該「起動指示」を、移動局ＵＥのＡＳ機能に送信する。
【０００８】
ステップＳ２００８において、移動局ＵＥのＡＳ機能が、移動局ＵＥのＮＡＳ機能から受信した「起動指示」に応じて、パケット交換機ＳＧＳＮ宛てに発信することによって、無線回線制御局ＲＮＣとの間でＲＲＣコネクションを確立する。
【０００９】
ステップＳ２００９において、ステップＳ２００４において確立されたＣ-ｐｌａｎｅパスが解放されている場合、移動局ＵＥのＮＡＳ機能が、パケット交換機ＳＧＳＮとの間で、Ｃ-ｐｌａｎｅパスを確立する。
【００１０】
ステップＳ２０１０において、移動局ＵＥのＮＡＳ機能が、パケット交換機ＳＧＳＮとの間で、Ｕ-ｐｌａｎｅパス（データ用パス）を確立する。
【００１１】
次に、図７乃至図１０を参照して、従来のパケット通信システムにおいて、パケット交換機ＳＧＳＮにおいて輻輳が発生した場合に、移動局ＵＥ＃１が当該移動局ＵＥ＃１宛ての着信に応じてパケット通信を行う動作について説明する。
【００１２】
第１に、図７及び図８を参照して、第１の動作について説明する。
【００１３】
図７及び図８に示すように、ステップＳ３００１において、無線回線制御局ＲＮＣが、パケット交換機ＳＧＳＮにおける輻輳を検知した場合に、着信を許容しつつ発信を規制する規制情報、すなわち、ＰＳ発信（例えば、ＶｏＩＰ（Ｖｏｉｃｅ  ｏｖｅｒ  ＩＰ）通信や、ＰｏＣ（Ｐｕｓｈ-ｔｏ-Ｔａｌｋ  ｏｖｅｒ  Ｃｅｌｌｕｌａｒ）通信）のみを規制する規制情報を報知する。
【００１４】
また、図７の例では、かかる規制情報は、ＵＥクラス（移動局の種類を示すアクセスクラス）が「５」乃至「９」である移動局の発信のみを規制するように設定されている。
【００１５】
したがって、かかる規制情報によれば、ＵＥクラスが「０」である移動局ＵＥ＃３の発着信について規制されていないため、当該移動局ＵＥ＃３は、かかる規制情報を受信した場合であっても、発信及び着信の両方を行うことができる。
【００１６】
ここで、移動局ＵＥ＃１のＡＳ（Ａｃｃｅｓｓ  Ｓｔｒａｔｕｍ）機能が、かかる規制情報を受信して記憶する。
【００１７】
ステップＳ３００２において、パケット交換機ＳＧＳＮが、移動局ＵＥ＃１宛ての着信の存在を通知するためのページングを通知する。
【００１８】
移動局ＵＥ＃１のＡＳ機能が、ステップＳ３００３において、パケット交換機ＳＧＳＮから通知されたページングが当該移動局ＵＥ＃１宛てのページングであり、かつ、上述の規制情報に基づいて当該移動局ＵＥ＃１において当該ページングの着信が許容されていることを認識した場合、ステップＳ３００４において、無線回線制御局ＲＮＣとの間で、ＲＲＣコネクションを確立する。
【００１９】
ステップＳ３００５において、移動局ＵＥ＃１のＮＡＳ機能が、パケット交換機ＳＧＳＮとの間で、Ｃ-ｐｌａｎｅパスを確立する。
【００２０】
ステップＳ３００６において、パケット交換機ＳＧＳＮが、Ｃ-ｐｌａｎｅパスを介して、移動局ＵＥ＃１に対してパケット交換機ＳＧＳＮとの間でＵ-ｐｌａｎｅパスを確立するように指示するメッセージである「ＳＭＳ  Ｐｕｓｈ」を送信する。
【００２１】
ステップＳ３００７において、移動局ＵＥ＃１のＡＰＬ機能が、パケット交換機ＳＧＳＮから送信された「ＳＭＳ  Ｐｕｓｈ」の着信に応じて、パケット交換機ＳＧＳＮとの間でＵ-ｐｌａｎｅパスを確立するように指示する「起動指示」を、移動局ＵＥ＃１のＮＡＳ機能に送信し、ステップＳ３００８において、移動局ＵＥ＃１のＮＡＳ機能が、当該「起動指示」を、移動局ＵＥ＃１のＡＳ機能に送信する。
【００２２】
ステップＳ３００９において、上述の規制情報に基づいて、ＵＥクラスが「５」である移動局ＵＥ＃１においてＰＳ発信が規制されていることが認識された場合、ステップＳ３０１０において、移動局ＵＥ＃１のＡＳ機能が、移動局ＵＥ＃１のＮＡＳ機能から「起動指示」を受信した場合であっても、パケット交換機ＳＧＳＮ宛てに発信することができず、パケット交換機ＳＧＳＮとの間でＵ-ｐｌａｎｅパスを確立することができない。
【００２３】
第２に、図９を参照して、第２の動作について説明する。なお、図９の例では、かかる移動通信システムでは、ＳＭＳ  Ｐｕｓｈは、ＣＳドメインから送信されるが、かかるＳＭＳ  Ｐｕｓｈに対する応答は、ＰＳドメインに対して行うものとする。
【００２４】
図９に示すように、ステップＳ３１０１において、無線回線制御局ＲＮＣが、パケット交換機ＳＧＳＮにおける輻輳を検知した場合に、着信を許容しつつ発信を規制する規制情報、すなわち、ＰＳ発信のみを規制する規制情報を報知する。
【００２５】
ここで、移動局ＵＥ＃１のＡＳ（Ａｃｃｅｓｓ  Ｓｔｒａｔｕｍ）機能が、かかる規制情報を受信して記憶する。
【００２６】
ステップＳ３１０２において、回線交換機ＭＳＣ/ＶＬＲが、移動局ＵＥ＃１宛ての着信の存在を通知するためのページングを通知する。
【００２７】
移動局ＵＥ＃１のＡＳ機能が、ステップＳ３１０３において、回線交換機ＭＳＣ/ＶＬＲから通知されたページングが当該移動局ＵＥ＃１宛てのページングであり、かつ、上述の規制情報に基づいて当該移動局ＵＥ＃１において当該ページングの着信が許容されていることを認識した場合、ステップＳ３１０４において、無線回線制御局ＲＮＣとの間で、ＲＲＣコネクションを確立する。
【００２８】
ステップＳ３１０５において、移動局ＵＥ＃１のＮＡＳ機能が、回線交換機ＭＳＣ/ＶＬＲとの間で、Ｃ-ｐｌａｎｅパスを確立する。
【００２９】
ステップＳ３１０６において、回線交換機ＭＳＣ/ＶＬＲが、Ｃ-ｐｌａｎｅパスを介して、移動局ＵＥ＃１に対して回線交換機ＭＳＣ/ＶＬＲとの間でＵ-ｐｌａｎｅパスを確立するように指示するメッセージである「ＳＭＳ  Ｐｕｓｈ」を送信する。
【００３０】
ステップＳ３１０７において、移動局ＵＥ＃１のＡＰＬ機能が、回線交換機ＭＳＣ/ＶＬＲから送信された「ＳＭＳ  Ｐｕｓｈ」の着信に応じて、パケット交換機ＳＧＳＮとの間でＵ-ｐｌａｎｅパスを確立するように指示する「起動指示」を、移動局ＵＥ＃１のＮＡＳ機能に送信する。
【００３１】
ここで、通常は、移動局ＵＥ＃１のＮＡＳ機能は、ステップＳ３１０８において、無線回線制御局ＲＮＣとの間でＲＲＣコネクションが確立されていると判断した場合、当該「起動指示」を移動局ＵＥ＃１のＡＳ機能に送信する代わりに、パケット交換機ＳＧＳＮとの間でＣ-ｐｌａｎｅパスを確立する。
【００３２】
しかしながら、移動局ＵＥ＃１のＮＡＳ機能は、ステップＳ３１０８において、当該移動局ＵＥ＃１においてＰＳ発信が規制されていることを認識した場合には、パケット交換機ＳＧＳＮとの間でＣ-ｐｌａｎｅパスを確立することができず、パケット交換機ＳＧＳＮとの間でＵ-ｐｌａｎｅパスを確立することができない。
【００３３】
第３に、図１０を参照して、第３の動作について説明する。なお、図１０におけるステップＳ３２０１乃至３２０６の動作は、図８におけるステップＳ３００１乃至３００６の動作と同一であるため、説明を省略する。
【００３４】
ステップＳ３２０７において、移動局ＵＥ＃１のＡＰＬ機能が、パケット交換機ＳＧＳＮから送信された「ＳＭＳ  Ｐｕｓｈ」の着信に応じて、パケット交換機ＳＧＳＮとの間でＵ-ｐｌａｎｅパスを確立するように指示する「起動指示」を、移動局ＵＥ＃１のＮＡＳ機能に送信する。
【００３５】
ここで、通常は、移動局ＵＥ＃１のＮＡＳ機能は、ステップＳ３２０８において、パケット交換機ＳＧＳＮとの間でＣ-ｐｌａｎｅパスが確立されていると判断した場合、当該「起動指示」を移動局ＵＥ＃１のＡＳ機能に送信する代わりに、パケット交換機ＳＧＳＮとの間でＵ-ｐｌａｎｅパスを確立する。
【００３６】
しかしながら、移動局ＵＥ＃１のＮＡＳ機能は、ステップＳ３２０８において、当該移動局ＵＥ＃１においてＰＳ発信が規制されていることを認識した場合には、パケット交換機ＳＧＳＮとの間でＵ-ｐｌａｎｅパスを確立することができない。
【非特許文献１】３ＧＰＰ  ＴＳ２３.０４０、「Ｔｅｃｈｎｉｃａｌ  ｒｅａｌｉｚａｔｉｏｎ  ｏｆ  ｔｈｅ  Ｓｈｏｒｔ  Ｍｅｓｓａｇｅ  Ｓｅｒｖｉｃｅ（ＳＭＳ）」
【発明の開示】
【発明が解決しようとする課題】
【００３７】
上述のように、移動局ＵＥ＃１が、当該移動局ＵＥ＃１宛ての着信の存在を通知するためのページングを受信後にパケット交換機ＳＧＳＮ宛ての発信を行うことによってパケット通信を開始するように構成されている従来のパケット通信システムでは、着信が許容しつつ発信が規制している規制情報を受信した場合には、当該移動局ＵＥ＃１宛ての着信に応じてパケット通信を開始することができないという問題点があった。
【００３８】
また、従来のパケット通信システムでは、移動局ＵＥにおいて「ＳＭＳ  Ｐｕｓｈ」の受信に失敗した場合には、かかる「ＳＭＳ  Ｐｕｓｈ」が再送されるように構成されているが、上述の場合、移動局ＵＥにおいて「ＳＭＳ  Ｐｕｓｈ」の受信に失敗していないため、上述の規制が解除された後に、かかる「ＳＭＳ  Ｐｕｓｈ」が再送されることによって、パケット通信を開始することもできないという問題点があった。
【００３９】
そこで、本発明は、上述の課題に鑑みてなされたものであり、移動局ＵＥ＃１が、当該移動局ＵＥ＃１宛ての着信の存在を通知するためのページングを受信後にパケット交換機ＳＧＳＮ宛ての発信を行うことによってパケット通信を開始するように構成されているパケット通信システムにおいて、着信が許容しつつ発信が規制している規制情報を受信した場合であっても、当該移動局ＵＥ＃１宛ての着信に応じてパケット通信を開始することを可能とするパケット通信方法及び移動局を提供することを目的とする。
【課題を解決するための手段】
【００４０】
本発明の第１の特徴は、移動局とパケット交換機との間で確立されたデータ用パスを介してパケット通信を行うパケット通信方法であって、前記移動局が、着信を許容しつつ発信を規制する規制情報を受信する工程と、前記移動局宛てのページングの着信に応じて、該移動局が、該パケット交換機との間で制御用パスを確立する工程と、前記パケット交換機が、前記制御用パスを介して、前記移動局に対して該パケット交換機との間で前記データ用パスを確立するように指示するメッセージを送信する工程と、前記移動局が前記規制情報を受信している場合であっても、前記メッセージが該移動局に着信された場合には、該移動局が、前記パケット交換機宛てに発信することによって、該パケット交換機との間で前記データ用パスを確立する工程とを有することを要旨とする。
【００４１】
本発明の第２の特徴は、パケット交換機との間で確立されたデータ用パスを介してパケット通信を行うように構成されている移動局であって、着信を許容しつつ発信を規制する規制情報を受信するように構成されている規制情報受信部と、前記移動局宛てのページングの着信に応じて、前記パケット交換機との間で制御用パスを確立するように構成されている制御用パス確立部と、前記パケット交換機宛てに発信することによって、該パケット交換機との間で前記データ用パスを確立するように構成されているデータ用パス確立部とを具備しており、前記規制情報受信部が前記規制情報を受信した場合であっても、前記移動局に対して前記パケット交換機との間で前記データ用パスを確立するように指示するメッセージが着信された場合には、前記データ用パス確立部は、該パケット交換機宛てに発信することによって、該パケット交換機との間で前記データ用パスを確立するように構成されていることを要旨とする。
【００４２】
かかる発明によれば、移動局において、着信を許容しつつ発信を規制する規制情報が受信された場合であっても、パケット交換機との間でデータ用パスを確立するように指示するメッセージが着信された場合には、当該パケット交換機宛てに発信することができるように構成されているため、着信が許容されているにも関らず、当該移動局宛ての着信に応じてパケット通信を開始することができないという問題点を解決することができる。
【００４３】
本発明の第２の特徴において、前記規制情報は、前記パケット交換機に対する発信を規制すべき移動局の種類を示すアクセスクラスを含み、前記規制情報受信部が前記移動局が属するアクセスクラスを含む規制情報を受信した場合に、前記データ用パス確立部は、前記パケット交換機宛てに発信することによって、該パケット交換機との間で前記データ用パスコネクションを確立することが規制されるように構成されていてもよい。
【発明の効果】
【００４４】
以上説明したように、本発明によれば、移動局ＵＥ＃１が、当該移動局ＵＥ＃１宛ての着信の存在を通知するためのページングを受信後にパケット交換機ＳＧＳＮ宛ての発信を行うことによってパケット通信を開始するように構成されているパケット通信システムにおいて、着信が許容しつつ発信が規制している規制情報を受信した場合であっても、当該移動局ＵＥ＃１宛ての着信に応じてパケット通信を開始することを可能とするパケット通信方法及び移動局を提供することができる。
【発明を実施するための最良の形態】
【００４５】
（本発明の第１の実施形態に係るパケット通信システムの構成）
本発明の第１の実施形態に係るパケット通信システムの構成は、従来のパケット通信システムの構成と同様であり、図７に示すように、パケット交換機ＳＧＳＮと、回線交換機ＭＳＣ/ＶＬＲと、無線回線制御局ＲＮＣと、無線基地局ＢＴＳ（図示せず）と、移動局ＵＥ＃１乃至ＵＥ＃３とを具備している。
【００４６】
なお、本実施形態に係るパケット通信システムにおいて、パケット交換機ＳＧＳＮ、回線交換機ＶＬＲ/ＭＳＣ、無線回線制御局ＲＮＣ及び無線基地局ＢＴＳ（図示せず）の機能は、従来のパケット通信システムにおける各機能と同様である。
【００４７】
本実施形態に係る移動局ＵＥ＃１乃至ＵＥ＃３は、パケット交換機ＳＧＳＮとの間で確立されたＣ-ｐｌａｎｅパスを介してパケット通信を行うように構成されている。
【００４８】
本実施形態に係る移動局ＵＥ＃１乃至ＵＥ＃３の機能は同一であるため、以下、代表して、移動局ＵＥ＃１の機能について説明する。
【００４９】
図１に示すように、移動局ＵＥ＃１は、規制情報受信部１１と、規制情報管理部１２と、Ｐａｇｉｎｇ受信部１３と、ＲＲＣコネクション確立部１４と、ＳＭＳ  Ｐｕｓｈ受信部１５と、Ｃ-ｐｌａｎｅパス確立部１６と、Ｕ-ｐｌａｎｅパス確立部１７とを具備している。
【００５０】
ここで、規制情報受信部１１、規制情報管理部１２、Ｐａｇｉｎｇ受信部１３及びＲＲＣコネクション確立部１４は、ＡＳ機能として存在しており、Ｕ-ｐｌａｎｅパス確立部１６及びＣ-ｐｌａｎｅパス確立部１７は、ＮＡＳ機能として存在しており、ＳＭＳ  Ｐｕｓｈ受信部１５は、ＡＰＬ機能として存在している。
【００５１】
規制情報受信部１１は、無線回線制御局ＲＮＣから報知された規制情報を受信するように構成されている。
【００５２】
なお、かかる規制情報は、図７に示すように、「規制種別」と「ＵＥクラス」と「着信」とを設定するように構成されている。
【００５３】
「規制種別」は、パケット交換機ＳＧＳＮを介する発信について規制するＰＳ規制であるか、回線交換機ＭＳＣ/ＶＬＲを介する発信について規制するＣＳ規制であるか、或いは、パケット交換機ＳＧＳＮ及び回線交換機ＭＳＣ/ＶＬＲの両者を介する発信について規制するＰＳ/ＣＳ規制であるかについて設定するものである。
【００５４】
「ＵＥクラス」は、パケット交換機ＳＧＳＮ又は回線交換機ＭＳＣ/ＶＬＲに対する発信を規制すべき移動局の種類を示すアクセスクラスについて設定するものである。
【００５５】
「着信」は、着信を規制するか、或いは、着信を許容するかについて設定するものである。
【００５６】
規制情報管理部１２は、規制情報受信部１１により受信された規制情報を管理するように構成されている。
【００５７】
Ｐａｇｉｎｇ受信部１３は、パケット交換機ＳＧＳＮから着信した移動局ＵＥ＃１宛ての着信の存在を通知するためのページングを受信するように構成されている。
【００５８】
ＲＲＣコネクション確立部１４は、移動局ＵＥ＃１宛てのページングの着信に応じて、無線回線制御局ＲＮＣとの間で、ＲＲＣコネクションを確立するように構成されている。
【００５９】
また、ＲＲＣコネクション確立部１４は、ＮＡＳ機能からの「起動指示」に応じて、パケット交換機ＳＧＳＮ宛てに発信することによって、ＲＲＣコネクションを確立するように構成されている。
【００６０】
なお、規制情報受信部１１が、移動局ＵＥ＃１のＵＥクラス「５」を含み、着信を許容しつつ発信を規制する規制情報を受信した場合には、受信した「起動指示」が「ＳＭＳ  Ｐｕｓｈ」に起因して生成された場合に限り、ＲＲＣコネクション確立部１４は、パケット交換機ＳＧＳＮ宛てに発信することができ、ＲＲＣコネクションを確立することができる。
【００６１】
したがって、上述の「起動指示」は、「ＳＭＳ  Ｐｕｓｈ」に起因して生成されたものか否かについて通知するように構成されている。
【００６２】
これに対して、規制情報受信部１１が、移動局ＵＥ＃１のＵＥクラス「５」を含み、発着信を規制する規制情報を受信した場合には、受信した「起動指示」が「ＳＭＳ  Ｐｕｓｈ」に起因して生成されたものであるか否かに関らず、ＲＲＣコネクション確立部１４は、パケット交換機ＳＧＳＮ宛てに発信することができないため、ＲＲＣコネクションを確立することが規制されるように構成されている。
【００６３】
ＳＭＳ  Ｐｕｓｈ受信部１５は、Ｃ-ｐｌａｎｅパスを介して、移動局ＵＥ＃１に対してパケット交換機ＳＧＳＮとの間でＵ-ｐｌａｎｅパスを確立するように指示するメッセージである「ＳＭＳ  Ｐｕｓｈ」を受信するように構成されている。
【００６４】
なお、「ＳＭＳ  Ｐｕｓｈ」に記述される情報は、「ＷＡＰ  Ｆｏｒｕｍ」にて規定されている。例えば、「ＳＭＳ  Ｐｕｓｈ」に記述される情報として、図２に示すような情報が規定されている。
【００６５】
Ｃ-ｐｌａｎｅパス確立部１６は、移動局ＵＥ＃１宛てのページングの着信に応じて、パケット交換機ＳＧＳＮとの間でＣ-ｐｌａｎｅパス（制御用パス）を確立するように構成されている。
【００６６】
また、Ｃ-ｐｌａｎｅパス確立部１６は、ＲＲＣコネクション確立部１４が、ＮＡＳ機能からの「起動指示」に応じて、ＲＲＣコネクションを確立した場合、パケット交換機ＳＧＳＮとの間でＣ-ｐｌａｎｅパスを確立するように構成されている。
【００６７】
Ｕ-ｐｌａｎｅパス確立部１７は、Ｃ-ｐｌａｎｅパス確立部１６が、パケット交換機ＳＧＳＮとの間でＣ-ｐｌａｎｅパスを確立した場合に、パケット交換機ＳＧＳＮとの間でＵ-ｐｌａｎｅパス（データ用パス）を確立するように構成されている。
【００６８】
具体的には、Ｕ-ｐｌａｎｅパス確立部１７は、ＲＲＣコネクション確立部１４が、パケット交換機ＳＧＳＮ宛てに発信することによって、上述のＲＲＣコネクションを確立した後、Ｃ-ｐｌａｎｅパス確立部１６が、上述のＣ-ｐｌａｎｅパスを確立した後に、パケット交換機ＳＧＳＮとの間でＵ-ｐｌａｎｅパスを確立するように構成されている。
【００６９】
（本発明の第１の実施形態に係るパケット通信システムの動作）
図３を参照して、本発明の第１の実施形態に係るパケット通信システムの動作について説明する。
【００７０】
具体的には、図３を参照して、本実施形態に係るパケット通信システムにおいて、パケット交換機ＳＧＳＮにおいて輻輳が発生した場合に、移動局ＵＥ＃１が当該移動局ＵＥ＃１宛ての着信に応じてパケット通信を行う動作について説明する。
【００７１】
図３に示すように、ステップＳ１００１において、無線回線制御局ＲＮＣが、パケット交換機ＳＧＳＮにおける輻輳を検知した場合に、着信を許容しつつ発信を規制する規制情報、すなわち、ＰＳ発信のみを規制する規制情報を報知する。ここで、移動局ＵＥ＃１のＡＳ機能が、かかる規制情報を受信して記憶する。
【００７２】
ステップＳ１００２において、パケット交換機ＳＧＳＮが、移動局ＵＥ＃１宛ての着信の存在を通知するためのページングを通知する。
【００７３】
移動局ＵＥ＃１のＡＳ機能が、ステップＳ１００３において、パケット交換機ＳＧＳＮから通知されたページングが当該移動局ＵＥ＃１宛てのページングであり、かつ、上述の規制情報に基づいて当該移動局ＵＥ＃１において当該ページングの着信が許容されていることを認識した場合、ステップ１３００４において、無線回線制御局ＲＮＣとの間で、ＲＲＣコネクションを確立する。
【００７４】
ステップＳ１００５において、移動局ＵＥ＃１のＮＡＳ機能が、パケット交換機ＳＧＳＮとの間で、Ｃ-ｐｌａｎｅパスを確立する。
【００７５】
ステップＳ１００６において、パケット交換機ＳＧＳＮが、Ｃ-ｐｌａｎｅパスを介して、移動局ＵＥ＃１に対してパケット交換機ＳＧＳＮとの間でＵ-ｐｌａｎｅパスを確立するように指示するメッセージである「ＳＭＳ  Ｐｕｓｈ」を送信する。
【００７６】
ステップＳ１００７において、移動局ＵＥ＃１のＡＰＬ機能が、パケット交換機ＳＧＳＮから送信された「ＳＭＳ  Ｐｕｓｈ」の着信に応じて、パケット交換機ＳＧＳＮとの間でＵ-ｐｌａｎｅパスを確立するように指示する「起動指示」を、移動局ＵＥ＃１のＮＡＳ機能に送信し、ステップ１３００８において、移動局ＵＥ＃１のＮＡＳ機能が、当該「起動指示」を、移動局ＵＥ＃１のＡＳ機能に送信する。
【００７７】
ステップＳ１００９において、ＵＥクラスが「５」である移動局ＵＥ＃１においてＰＳ発信のみが規制されているが、当該「起動指示」が「ＳＭＳ  Ｐｕｓｈ」に起因して生成されたものであるため、移動局ＵＥ＃１のＡＳ機能が、パケット交換機ＳＧＳＮ宛てに発信することができ、ステップＳ１０１０において、無線回線制御局ＲＮＣとの間で、ＲＲＣコネクションを確立することができる。
【００７８】
ステップＳ１０１０において、ステップＳ１００５において確立されたＣ-ｐｌａｎｅパスが解放されている場合、移動局ＵＥ＃１のＮＡＳ機能が、パケット交換機ＳＧＳＮとの間で、Ｃ-ｐｌａｎｅパスを確立する。
【００７９】
ステップＳ１０１１において、移動局ＵＥ＃１のＮＡＳ機能が、パケット交換機ＳＧＳＮとの間で、Ｕ-ｐｌａｎｅパスを確立する。移動局ＵＥ＃１は、かかるＵ-ｐｌａｎｅパスを用いてパケット通信を行う。
【００８０】
（本発明の第１の実施形態に係るパケット通信システムの作用・効果）
本発明の第１の実施形態に係るパケット通信システムによれば、移動局ＵＥにおいて、着信を許容しつつ発信を規制する規制情報が受信された場合であっても、パケット交換機ＳＧＳＮとの間でＵ-ｐｌａｎｅパスを確立するように指示する「ＳＭＳ  Ｐｕｓｈ」が着信された場合には、パケット交換機ＳＧＳＮ宛てに発信することができるように構成されているため、着信が許容されているにも関らず、移動局ＵＥ宛ての着信に応じてパケット通信を開始することができないという問題点を解決することができる。
【００８１】
（変更例１）
図４を参照して、本発明の変更例１に係る移動通信システムについて説明する。以下、変更例１に係る移動通信システムについて、上述の第１の実施形態に係る移動通信システムとの相違点に着目して説明する。
【００８２】
具体的には、図４を参照して、本変更例に係るパケット通信システムにおいて、パケット交換機ＳＧＳＮにおいて輻輳が発生した場合に、移動局ＵＥ＃１が当該移動局ＵＥ＃１宛ての着信に応じてパケット通信を行う動作について説明する。
【００８３】
図４に示すように、ステップＳ１１０１乃至Ｓ１１０６の動作は、上述の図９におけるステップＳ３１０１乃至Ｓ３１０６の動作と同一であるため、説明を省略する。
【００８４】
なお、変更例１では、かかる移動通信システムでは、ＳＭＳ  Ｐｕｓｈは、ＣＳドメインから送信されるが、かかるＳＭＳ  Ｐｕｓｈに対する応答は、ＰＳドメインに対して行うものとする。
【００８５】
ステップＳ１１０７において、移動局ＵＥ＃１のＡＰＬ機能が、回線交換機ＭＳＣ/ＶＬＲから送信された「ＳＭＳ  Ｐｕｓｈ」の着信に応じて、パケット交換機ＳＧＳＮとの間でＵ-ｐｌａｎｅパスを確立するように指示する「起動指示」を、移動局ＵＥ＃１のＮＡＳ機能に送信する。
【００８６】
ステップ１１０８において、移動局ＵＥ＃１のＮＡＳ機能は、ＵＥクラスが「５」である移動局ＵＥ＃１においてＰＳ発信のみが規制されていることを認識し、かつ、無線回線制御局ＲＮＣとの間でＲＲＣコネクションが確立されていることを認識しているため、従来であれば、パケット交換機ＳＧＳＮとの間で、Ｃ-ｐｌａｎｅパスを確立することができない。
【００８７】
しかしながら、変更例１に係る移動通信システムでは、かかる場合であっても、移動局ＵＥ＃１のＮＡＳ機能は、受信した「起動指示」が「ＳＭＳ  Ｐｕｓｈ」に起因して生成されたものであると判断した場合には、パケット交換機ＳＧＳＮ宛てに発信することができ、ステップＳ１１０９において、パケット交換機ＳＧＳＮとの間で、Ｃ-ｐｌａｎｅパスを確立することができる。
【００８８】
ステップＳ１１１０において、移動局ＵＥ＃１のＮＡＳ機能が、パケット交換機ＳＧＳＮとの間で、Ｕ-ｐｌａｎｅパスを確立する。移動局ＵＥ＃１は、かかるＵ-ｐｌａｎｅパスを用いてパケット通信を行う。
【００８９】
（変更例２）
図５を参照して、本発明の変更例２に係る移動通信システムについて説明する。以下、変更例２に係る移動通信システムについて、上述の第１の実施形態に係る移動通信システムとの相違点に着目して説明する。
【００９０】
具体的には、図５を参照して、本変更例に係るパケット通信システムにおいて、パケット交換機ＳＧＳＮにおいて輻輳が発生した場合に、移動局ＵＥ＃１が当該移動局ＵＥ＃１宛ての着信に応じてパケット通信を行う動作について説明する。
【００９１】
図５に示すように、ステップＳ１２０１乃至Ｓ１２０６の動作は、上述の図３におけるステップＳ１００１乃至Ｓ１００６の動作と同一であるため、説明を省略する。
【００９２】
ステップＳ１２０７において、移動局ＵＥ＃１のＡＰＬ機能が、パケット交換機ＳＧＳＮから送信された「ＳＭＳ  Ｐｕｓｈ」の着信に応じて、パケット交換機ＳＧＳＮとの間で既に確立されているＣ-ｐｌａｎｅパスを用いて、パケット交換機ＳＧＳＮとの間でＵ-ｐｌａｎｅパスを確立するように指示する「起動指示」を、移動局ＵＥ＃１のＮＡＳ機能に送信する。
【００９３】
ステップ１２０８において、移動局ＵＥ＃１のＮＡＳ機能は、ＵＥクラスが「５」である移動局ＵＥ＃１においてＰＳ発信のみが規制されていることを認識し、かつ、パケット交換機ＳＧＳＮとの間でＣ-ｐｌａｎｅパスが確立されていることを認識しているため、従来であれば、パケット交換機ＳＧＳＮとの間で、Ｕ-ｐｌａｎｅパスを確立することができない。
【００９４】
しかしながら、変更例２に係る移動通信システムでは、かかる場合であっても、移動局ＵＥ＃１のＮＡＳ機能は、受信した「起動指示」が「ＳＭＳ  Ｐｕｓｈ」に起因して生成されたものであると判断した場合には、パケット交換機ＳＧＳＮ宛てに発信することができ、ステップＳ１２０９において、パケット交換機ＳＧＳＮとの間で、Ｕ-ｐｌａｎｅパスを確立することができる。移動局ＵＥ＃１は、かかるＵ-ｐｌａｎｅパスを用いてパケット通信を行う。
【図面の簡単な説明】
【００９５】
【図１】本発明の第１の実施形態に係る移動局の機能ブロック図である。
【図２】本発明の第１の実施形態に係る移動局が受信するＳＭＳ  Ｐｕｓｈのフォーマットの一例を示す図である。
【図３】本発明の第１の実施形態に係る移動通信システムにおいて発信が規制されている場合の着信処理を示すシーケンス図である。
【図４】本発明の変更例１に係る移動通信システムにおいて発信が規制されている場合の着信処理を示すシーケンス図である。
【図５】本発明の変更例２に係る移動通信システムにおいて発信が規制されている場合の着信処理を示すシーケンス図である。
【図６】従来の移動通信システムにおいて発信が規制されていない場合の着信処理を示すシーケンス図である。
【図７】従来の移動通信システムにおいて発信が規制されている場合の着信処理を説明するための図である。
【図８】従来の移動通信システムにおいて発信が規制されている場合の着信処理を示すシーケンス図である。
【図９】従来の移動通信システムにおいて発信が規制されている場合の着信処理を示すシーケンス図である。
【図１０】従来の移動通信システムにおいて発信が規制されている場合の着信処理を示すシーケンス図である。
【符号の説明】
【００９６】
ＵＥ、ＵＥ＃１、ＵＥ＃２、ＵＥ＃３…移動局
１１…規制情報受信部
１２…規制情報管理部
１３…Ｐａｇｉｎｇ受信部
１４…ＲＲＣコネクション確立部
１５…ＳＭＳ  Ｐｕｓｈ受信部
１６…Ｃ-ｐｌａｎｅパス確立部
１７…Ｕ-ｐｌａｎｅパス確立部
ＳＧＳＮ…パケット交換機
ＭＳＣ/ＶＬＲ…回線交換機
ＲＮＣ…無線回線制御局
【図１】
2008098951.tif 000003
【図２】
2008098951.tif 000004
【図３】
2008098951.tif 000005
【図４】
2008098951.tif 000006
【図５】
2008098951.tif 000007
【図６】
2008098951.tif 000008
【図７】
2008098951.tif 000009
【図８】
2008098951.tif 000010
【図９】
2008098951.tif 000011
【図１０】
2008098951.tif 000012